(57)【要約】【課題】配電系統管理統括部門と作業員との双方で共通する配電系統地図を使用するように配電系統地図を一元管理し、さらに、既存の配電自動化システムを利用することで大規模な設備投資を不要とした低コストなシステムとして普及を図る。これにより、作業員が最新の配電系統地図に基づいて、迅速かつ効率的に停電復旧処置・巡視点検することができる。【解決手段】配電自動化システムの情報管理用データベース４３０にアクセスして配電系統データ及び地図データを読み出し、Ｗｅｂ形式の配電系統地図データを生成する地図情報管理用コンピュータ５１０と、配電系統地図データを区域別に分類して保存登録する地図情報管理用データベース５２０と、配電系統地図データを読み出して参照する端末装置７１０，８１０，９１０と、を備え、これら端末装置７１０，８１０，９１０に配電系統地図データを表示する配電系統地図データ配信システムとした。【選択図】  図２
2004229456.tif 000002
【特許請求の範囲】
【請求項１】
配電系統情報と地図情報とを融合してなる配電系統地図を、事故処理・巡視点検等の作業を行う作業員に配布するため、配電自動化システムの情報管理用データベースに登録された配電系統データ及び地図データを用いて配電系統地図データを作成・配信する配電系統地図データ配信システムであって、
配電自動化システムの情報管理用データベースにアクセスして配電系統データ及び地図データを読み出し、ネットワークを介して送信するためのファイル形式の配電系統地図データを生成する地図情報管理用コンピュータと、
前記地図情報管理用コンピュータが生成した配電系統地図データを区域別に分類して保存登録する地図情報管理用データベースと、
ネットワークを介して前記地図情報管理用コンピュータにアクセスし、配電系統地図データを読み出して参照する端末装置と、
を備え、
前記端末装置から参照を所望する区域の配電系統地図データをリクエストした場合、
前記地図情報管理用コンピュータは、参照区域の配電系統地図データを地図情報管理用データベースから読み出してネットワークを介して前記端末装置へ送信し、前記端末装置により配電系統地図を参照することを特徴とする配電系統地図データ配信システム。
【請求項２】
請求項１記載の配電系統地図データ配信システムにおいて、
前記地図情報管理用コンピュータは、配電自動化システムの情報管理用データベースに登録された図面作成アプリケーションソフトウェア形式の配電系統データ及び地図データを読み出し、Ｗｅｂ形式の配電系統地図データを生成した上で、地図情報管理用データベースに保存登録することを特徴とする配電系統地図データ配信システム。
【請求項３】
請求項１または請求項２記載の配電系統地図データ配信システムにおいて、
前記端末装置を用いて地図情報管理用コンピュータへ選択画面ページをリクエストし、選択画面ページを操作して所望の参照区域を選択することにより、当該参照区域の配電系統地図データを送信させることを特徴とする配電系統地図データ配信システム。
【請求項４】
請求項１〜請求項３の何れか一項に記載の配電系統地図データ配信システムにおいて、
前記地図情報管理用データベースは、事故データ及び作業手順データを登録し、
前記地図情報管理用コンピュータは、事故データおよび作業手順データに基づいて作業手順図面データを作成し、この作業手順図面データを含むような配電系統地図データを生成することを特徴とする配電系統地図データ配信システム。
【請求項５】
請求項４に記載の配電系統地図データ配信システムにおいて、
前記事故データおよび作業手順データは、作業手順情報ワークシートに入力された帳票形式のデータであることを特徴とする配電系統地図データ配信システム。
【請求項６】
請求項４に記載の配電系統地図データ配信システムにおいて、
前記事故データおよび作業手順データは、プリンタ装置に接続される分岐装置から抽出される印字データであることを特徴とする配電系統地図データ配信システム。
【請求項７】
請求項１〜請求項６の何れか一項に記載の配電系統地図データ配信システムにおいて、
前記地図情報管理用コンピュータは、配電系統に複数設置された配電自動化システム子局から送信されて配電自動化システム親局が収集した事故情報信号を入力し、各子局への事故情報信号が伝送される時間差により、事故点を特定し、配電系統地図データに事故点を表すデータを付加することを特徴とする配電系統地図データ配信システム。
【請求項８】
請求項７記載の配電系統地図データ配信システムにおいて、
前記配電自動化システム子局は、
事故発生に基づく物理量変化を検出するセンサと、
事故発生を計測する時計装置と、
前記センサが出力した信号を演算処理して事故種別を特定するとともに、事故発生時刻を取り込んで事故情報信号を生成する演算処理部と、
を備えることを特徴とする配電系統地図データ配信システム。
【請求項９】
請求項８記載の配電系統地図データ配信システムにおいて、
前記センサは、電圧センサ又は／及び電流センサであることを特徴とする配電系統地図データ配信システム。
【発明の詳細な説明】
【０００１】
【発明の属する技術分野】
本発明は、配電系統における地絡・短絡等の事故が発生した際の停電復旧処置、または、単なる巡視点検という作業時に用いられる配電系統地図情報が含まれる配電系統地図データを配信するための配電系統地図データ配信システムに関する。
【０００２】
【従来の技術】
今日、配電系統運用の効率化・事故復旧の迅速化などを図るため、配電系統に配電自動化システムが配備されている。配電自動化システムは、配電系統の中の電力設備、特に複雑に張り巡らされた配電線に地絡・短絡等の事故が発生したとき、事故区間を分離するとともに健全区間を早期に復旧させる機能を有している。
【０００３】
また、配電系統には、配電自動化システムとともに、地絡・短絡等の事故点を容易に捜査し易くし、現地作業員がいち早く駆けつけて停電復旧処置を迅速に行うために位置情報を配信するシステムも設置されている。さらに、停電復旧処置以外にも、巡視点検のために位置情報を配信するシステムなども利用されている。
これらのようなシステムに関する従来技術として、例えば、配電設備巡視点検装置（特許文献１参照）、または、事故点探査支援システム（特許文献２参照）などが開示されている。
【０００４】
すなわち、特許文献１の配電設備巡視点検装置は、電力設備の監視制御及び事故の詳細情報と、正確な地図情報及び詳細設備属性データを複合し、営業所に設置する表示画面上に展開表示し、同じ情報を巡視点検用車両に伝送し、巡視点検用車両に設けたＣＲＴ画面上に地図情報、ＧＰＳによる位置情報、および、道路情報等も併せて表示するというものである。このような配電設備巡視点検装置によれば、最短で事故発生地点に現地作業員を緊急派遣可能とするとともに、常に管理統括する営業所と、巡視点検用車両の双方で用いる情報を一元管理する、ことを可能としている。
【０００５】
また、特許文献２の事故点探査支援システムは、事故発生情報及び過去の事故点捜査結果を記録し、配電機器の配置を含む地図情報と、既に実施した作業情報を用いて捜査ルート決定手段と作業指示を生成する手順決定手段を備えるものである。このような事故点探査支援システムは、事故点を探査するための最適な探査ルート及び手順や、配車、作業員の配置、機器の現場操作を自動的に決定することを可能としている。
【０００６】
【特許文献１】
特開平９−１５４２４３号公報
（段落番号００２３〜００４４，図１〜図６）
【特許文献２】
特開２００２−１５２９３２号公報
（段落番号０００６〜００２１，図１〜図１６）
【０００７】
【発明が解決しようとする課題】
しかしながら、特許文献１の配電設備巡視点検装置および特許文献２の事故点探査支援システムは、概して大掛かりな設備となり、システムの構築をはじめ保守管理、専門知識や技術を有するシステム運営要員を配属する等コストが嵩み、全配電系統にいきわたるには相当に期間を要するという事情がある。
このような事情に起因して、現状では、現地作業員は、未だに配電系統管理統括部門から配布される紙媒体である事故捜査図、巡視点検指示図その他事故データ、作業手順データを使用して停電復旧・巡視点検作業を行わざるを得ない状況である。
【０００８】
しかしながら、配電系統の増設工事や補修工事、事故復旧工事、或いは地勢上の目的物、特に市街地における著名建物や幹線道路等の増改築が煩雑に行われるという事情から、配電系統データ及び地図データに基づく配電系統地図は、定期的かつ頻繁に更新される。特に配電系統地図が実情と相違すると、緊急性を要する停電復旧処置や効率性を求められる巡視点検を行う際に、現地作業員の活動に支障をきたすこともある。そこで、事故時にすぐに利用できるようにするため、現状では更新が行われた際に予め現地作業員に配布しておく必要があるが、このような頻繁に更新される配電系統地図を更新の都度配布することは大変手間を要する作業であり、また、コスト等の観点からも好ましくなかった。
現状ではこのような配電系統地図を、システム的に速やかに配布できるようにする解決策が要望されている。
【０００９】
そこで、本発明はこれら課題を解決するためになされたものであり、その目的は、配電系統管理統括部門と作業員との双方で共通する配電系統地図を使用するように配電系統地図を一元管理し、作業員が最新の配電系統地図を使用して、速やかかつ効率的に停電復旧処置・巡視点検という作業を行えるような配電系統地図データ配信システムを提供することにある。
【００１０】
【課題を解決するための手段】
上記課題を解決するため、本発明は、請求項１に記載するように、
配電系統情報と地図情報とを融合してなる配電系統地図を、事故処理・巡視点検等の作業を行う作業員に配布するため、配電自動化システムの情報管理用データベースに登録された配電系統データ及び地図データを用いて配電系統地図データを作成・配信する配電系統地図データ配信システムであって、
配電自動化システムの情報管理用データベースにアクセスして配電系統データ及び地図データを読み出し、ネットワークを介して送信するためのファイル形式の配電系統地図データを生成する地図情報管理用コンピュータと、
前記地図情報管理用コンピュータが生成した配電系統地図データを区域別に分類して保存登録する地図情報管理用データベースと、
ネットワークを介して前記地図情報管理用コンピュータにアクセスし、配電系統地図データを読み出して参照する端末装置と、
を備え、
前記端末装置から参照を所望する区域の配電系統地図データをリクエストした場合、
前記地図情報管理用コンピュータは、参照区域の配電系統地図データを地図情報管理用データベースから読み出してネットワークを介して前記端末装置へ送信し、前記端末装置により配電系統地図を参照することを特徴とする。
【００１１】
また本発明は、請求項２に記載するように、
請求項１記載の配電系統地図データ配信システムにおいて、
前記地図情報管理用コンピュータは、配電自動化システムの情報管理用データベースに登録された図面作成アプリケーションソフトウェア形式の配電系統データ及び地図データを読み出し、Ｗｅｂ形式の配電系統地図データを生成した上で、地図情報管理用データベースに保存登録することを特徴とする。
【００１２】
また本発明は、請求項３に記載するように、
請求項１または請求項２記載の配電系統地図データ配信システムにおいて、
前記端末装置を用いて地図情報管理用コンピュータへ選択画面ページをリクエストし、選択画面ページを操作して所望の参照区域を選択することにより、当該参照区域の配電系統地図データを送信させることを特徴とする。
【００１３】
また本発明は、請求項４に記載するように、
請求項１〜請求項３の何れか一項に記載の配電系統地図データ配信システムにおいて、
前記地図情報管理用データベースは、事故データ及び作業手順データを登録し、
前記地図情報管理用コンピュータは、事故データおよび作業手順データに基づいて作業手順図面データを作成し、この作業手順図面データを含むような配電系統地図データを生成することを特徴とする。
【００１４】
また本発明は、請求項５に記載するように、
請求項４に記載の配電系統地図データ配信システムにおいて、
前記事故データおよび作業手順データは、作業手順情報ワークシートに入力された帳票形式のデータであることを特徴とする。
【００１５】
また本発明は、請求項６に記載するように、
請求項４に記載の配電系統地図データ配信システムにおいて、
前記事故データおよび作業手順データは、プリンタ装置に接続される分岐装置から抽出される印字データであることを特徴とする。
【００１６】
また本発明は、請求項７に記載するように、
請求項１〜請求項６の何れか一項に記載の配電系統地図データ配信システムにおいて、
前記地図情報管理用コンピュータは、配電系統に複数設置された配電自動化システム子局から送信されて配電自動化システム親局が収集した事故情報信号を入力し、各子局への事故情報信号が伝送される時間差により、事故点を特定し、配電系統地図データに事故点を表すデータを付加することを特徴とする。
【００１７】
また本発明は、請求項８に記載するように、
請求項７記載の配電系統地図データ配信システムにおいて、
前記配電自動化システム子局は、
事故発生に基づく物理量変化を検出するセンサと、
事故発生を計測する時計装置と、
前記センサが出力した信号を演算処理して事故種別を特定するとともに、事故発生時刻を取り込んで事故情報信号を生成する演算処理部と、
を備えることを特徴とする。
【００１８】
また本発明は、請求項９に記載するように、
請求項８記載の配電系統地図データ配信システムにおいて、
前記センサは、電圧センサ又は／及び電流センサであることを特徴とする。
【００１９】
【発明の実施の形態】
以下、図に沿って本発明の実施形態を説明する。図１は配電系統および配電自動化システムを含む全体システム図、図２は本発明の配電系統地図データ配信システムの実施形態を説明するシステム図である。
【００２０】
配電系統は各種形態が可能であるが、例えば、図１で示すような環状式の配電系統を想定する。この配電系統は、平常時は配電用変電所１０００で変圧器Ｂ１を介して受電し、変電所所内の遮断器Ｆ１，Ｆ２を経由して常時閉状態の遠制開閉器（区分開閉器）ＳＳ０１〜ＳＳ０６、および、遠制開閉器（連係開閉器）ＴＳ０１によって環状に接続される配電線に電力を供給する。
【００２１】
このような配電系統に配電自動化システムが設置されている。配電自動化システムは、配電系統の開閉器ごとにそれぞれ設けられた配電自動化システム子局としての遠制開閉器子局ＲＴＵ０１〜ＲＴＵ０７、伝送路となる信号線１００、変電所中継局２００、ネットワーク３００、制御所親局４００とが含まれる。
【００２２】
続いて配電自動化システムの動作について概略説明する。
各遠制開閉器ＳＳ０１〜ＳＳ０６，ＴＳ０１の状態は、これら開閉器ごとにそれぞれ設けられた遠制開閉器子局ＲＴＵ０１〜ＲＴＵ０７に収集され、信号線１００を介して変電所中継局２００に一旦収集される。
また、遮断器Ｆ１，Ｆ２の状態も、信号線１００を介して変電所中継局２００に一旦収集される。
これら変電所中継局２００に収集された情報は、変電所中継局２００からネットワーク３００を介して制御所親局４００に伝送される。
【００２３】
制御所親局４００では、図２で示すように、配電自動化コンピュータ４１０、情報管理用コンピュータ４２０、情報管理用データベース４３０が設置されている。これら配電自動化コンピュータ４１０、情報管理用コンピュータ４２０、情報管理用データベース４３０は、社内ＬＡＮ（Ｌｏｃａｌ  Ａｒｅａ  Ｎｅｔｗｏｒｋ  ）等のネットワーク４４０により接続されている。
【００２４】
制御所親局４００に伝送された遮断器Ｆ１，Ｆ２及び遠制開閉器ＳＳ０１〜ＳＳ０６，ＴＳ０１に関する情報は配電自動化コンピュータ４１０に入力される。配電自動化コンピュータ４１０は、これら情報をもとに系統状態を自動的に監視・制御するとともに、オペレータによるキーボード端末（図示せず）からの操作入力に基づいても系統制御を行うようになされている。
【００２５】
また、情報管理用コンピュータ４２０は、遮断器Ｆ１，Ｆ２及び遠制開閉器ＳＳ０１〜ＳＳ０６，ＴＳ０１に関する情報に加え、配電自動化に必要な他の各種情報を情報管理用データベース４３０に登録して管理している。
これら情報とは、配電系統の回路図である配電系統データ、配電系統の設置個所や地勢に係る地図データ、事故の種類を分類した事故データおよび事故に対応する作業手順デーなどである。これら情報については後述する
【００２６】
続いて、このような配電自動化システムとともに設置される配電系統地図データ配信システムについて説明する。図２に示すように、配電系統地図データ配信システムは、地図情報管理用サーバシステム５００と、ネットワーク６００と、地図情報取得用クライアントシステム７００，８００，９００と、を備えている。
【００２７】
地図情報管理用サーバシステム５００は、詳しくは、地図情報管理用コンピュータ５１０と地図情報管理用データベース５２０とを備えている。
地図情報管理用コンピュータ５１０は、配電自動化システムの情報管理用データベース４３０にネットワーク４４０を介してアクセスできるようになされ、情報管理用データベース４３０から配電系統データ及び地図データを読み出し、インターネット等の公衆回線であるネットワーク６００を介して送信するためのファイル形式の配電系統地図データを生成する。
地図情報管理用データベース５２０は、地図情報管理用コンピュータ５１０と接続され、地図情報管理用コンピュータ５１０により書き込まれた配電系統地図データを区域別に分類して保存登録する（後述）。
【００２８】
このような地図情報管理用サーバシステム５００は、配電自動化システムの配電自動化コンピュータ４１０が設置されている制御所親局４００（配電系統管理統括部門）に設置されており、この配電自動化システムの情報管理用コンピュータ４２０・情報管理用データベース４３０と、地図情報管理用サーバシステム５００の地図情報管理用コンピュータ５１０・地図情報管理用データベース５２０とは、社内ＬＡＮ等のネットワーク４４０を介して接続されている。
【００２９】
ネットワーク６００は、公衆回線・ＬＡＮ等を含むものであるが、少なくともいわゆるインターネットにより通信でき、Ｗｅｂファイルが送受信できるようになされているものであればよい。
【００３０】
地図情報取得用クライアントシステム７００，８００，９００は、ネットワーク６００を介して遠隔地に設置されており、各種形態を採用することができる。
例えば、地図情報取得用クライアントシステム７００は、図２で示すように単独の端末装置（例えば、ラップトップ型・デスクトップ型の通常のコンピュータ）７１０である。
また、地図情報取得用クライアントシステム８００は、図２で示すように単独の端末装置（例えば、ラップトップ型・デスクトップ型の通常のコンピュータ）８１０にプリンタ８２０を設置したシステムである。
また、地図情報取得用クライアントシステム９００は、図２で示すように移動通信方式（例えば、携帯電話等）の端末装置９１０である。
これら端末装置７１０，８１０，９１０のディスプレイ表示装置により配電系統地図データが表示され、また、プリンタ８２０により配電系統地図データが印刷される。つまり、表示・印刷により配電系統地図データを参照することができる。
【００３１】
このように地図情報取得用クライアントシステム７００，８００，９００は各種のシステムを採用することができる。なお、実際の地図情報取得用クライアントシステムは多数接続される。
このような地図情報取得用クライアントシステム７００，８００，９００は、電力会社の各支社や営業所に配置されている。
【００３２】
続いて、このような配電系統地図データ配信システムの稼働について説明する。稼働時は、（１）データの更新、および（２）データの配信が行われる。まず、（１）データの更新について説明する。
【００３３】
（１）データの更新
先に述べたように、配電系統の増設工事や補修工事、事故復旧工事、或いは地勢上の目的物、特に市街地における著名建物や幹線道路等の増改築が煩雑に行われるという事情から、配電自動化システムの配電系統データ及び地図データは定期的かつ頻繁に更新される。
そこで、配電自動化システムのデータ更新の都度、配電系統地図データ配信システムでも地図情報管理用データベース５２０に登録されているデータの更新が行われる。このデータ更新の一連の手順について説明する。
【００３４】
まず、配電自動化システム側（配電系統管理統括部門）でデータ更新が行われるものとする。ここに配電自動化システム側の情報管理用コンピュータ４２０には、図面作成アプリケーションソフトウェア（具体的にはＡｕｔｏ  ＣＡＤ）がインストールされており、配電自動化システムの情報管理用データベース４３０にはこの図面作成アプリケーションソフトウェアにより作成された配電系統データ及び地図データが登録されている。これら配電系統データ及び地図データは、図面作成アプリケーションソフトウェア特有の形式のデータ（ＡｕｔｏＣＡＤ形式：拡張子ｄｗｇ）である。
【００３５】
更新の必要が生じたとき、情報管理用コンピュータ４２０を操作して図面作成アプリケーションソフトウェア（ＡｕｔｏＣＡＤ）を起動させ、更新対象となる配電系統データ及び地図データを読み出し、データ内容を更新する。そして、情報管理用データベース４３０にこれら配電系統データ及び地図データを登録する。これら更新された配電系統データ及び地図データも、図面作成アプリケーションソフトウェア特有のデータ形式（ＡｕｔｏＣＡＤ形式：拡張子ｄｗｇ）である。
【００３６】
その後に図３で示す手順で地図情報管理用データベース５２０のデータ更新を行う。
図３はデータ更新手順を説明するフローチャートである。
まず、地図情報管理用コンピュータ５１０にインストールされている図面作成アプリケーションソフトウェア（ＡｕｔｏＣＡＤ）を起動させる。
【００３７】
この地図情報管理用コンピュータ５１０は、Ｗｉｎｄｏｗｓ（登録商標）上で動作するＡｕｔｏＣＡＤ  ＬＴ２０００ｉ、Ｗｈｉｐ！等の市販用ソフトウェアや開放ソフトウェアをインストールしており、例えば、ＡｕｔｏＣＡＤ  ＬＴ２０００ｉで読み出し・加工を行ったり、Ｗｈｉｐ！で読み出しのみをを行うことができる。
【００３８】
起動した図面作成アプリケーションソフトウェアを操作して、配電自動化システムの情報管理用データベース４３０から、先に更新された配電系統データ及び地図データ（図面作成アプリケーションソフトウェアのデータ形式（ＡｕｔｏＣＡＤ形式：拡張子ｄｗｇ）のデータ）を読み出す。
【００３９】
そして、これら配電系統データ及び地図データを用いて、配電系統地図データを図面作成アプリケーションソフトウェアのデータ形式（ＡｕｔｏＣＡＤ形式：拡張子ｄｗｇ）で作成し（ステップＳ１０）、Ｗｅｂ形式（ＡｕｔｏＣＡＤでは作成した図面データをＡｕｔｏＣＡＤ  Ｗｅｂ形式（拡張子ｄｗｆ）で保存登録することができる。）の配電系統地図データに変換し（ステップＳ１１）、Ｗｅｂ形式の配電系統地図データを生成する（ステップＳ１２）。そして、地図情報管理用データベース５２０に配電系統地図データを更新登録する（ステップＳ１３）。
このような更新登録は配電自動化システムの情報管理用データベース４３０の配電系統データ及び地図データに変更がある都度行われるため常に最新の配電系統地図データが地図情報管理用データベース５２０に登録されている。
【００４０】
（２）データの配信
続いてデータの配信について説明する。図４はデータ配信手順を説明するフローチャート、図５は選択画面ページの説明図、図６は配電系統地図の一例の説明図である。例えば、図２で示す地図情報取得用クライアントシステム７００の端末装置７１０へデータ配信を行うものとする。
【００４１】
まず端末装置７１０のブラウザを立ち上げ、ブラウザを用いて地図情報管理用コンピュータ５１０へ選択画面ページをリクエストする（ステップＳ２０）。地図情報管理用コンピュータ５１０は選択画面ページを表示するデータを送信し、ブラウザには図５で示すような選択画面ページが表示される。
【００４２】
図５で示すような選択画面ページでは、配電系統地図データが配電線別に分類されて表示されている。このような配電系統地図データは、「系統名−変電所名−配電線名」のディレクトリ構成としているので、キーワード、例えば「系統名」，「変電所」、「配電線」の何れかを入力した後、または、図５で示すようにウィンドウから「系統名」，「変電所」、「配電線」を選択した後、参照ボタンをクリックすれば、所望の参照区域の配電系統図を容易に指定できる（ステップＳ２１）。
例えば、図５で示すように、「○○系統−○○変電所−○○線」を選択することで、この配電系統地図データは、「○○線．ｄｗｆ」が選択される。○○線．ｄｗｆは、ＡｕｔｏＣＡＤ  Ｗｅｂ形式（拡張子ｄｗｆ）であることを示している。
【００４３】
地図情報管理用コンピュータ５１０は、選択された参照区域の配電系統地図データ「○○線．ｄｗｆ」を、地図情報管理用データベース５２０から読み出し、地図情報取得用クライアントシステム７００の端末装置７１０へ送信する。
端末装置７１０は、配電系統地図データ「○○線．ｄｗｆ」を受信する。この端末装置７１０は、Ｗｉｎｄｏｗｓ（登録商標）上で動作するＷｈｉｐ！等の開放ソフトウェアをインストールしており、例えば、配電系統地図データ受信時に、Ｐｕｌｇ−Ｉｎ機能によりＷｈｉｐ！が直ちに起動してブラウザ画面上で配電系統地図データを表示する（ステップＳ２２）。
【００４４】
ＷＨＩＰ！はビューワであり、ＡｕｔｏＣＡＤの図面の統合性、安全性、そして精度を損なうことのない公開ファイルフォーマット、Ｄｒａｇ  Ｗｅｂ  Ｆｒｏｍａｔ  （ＤＷＦ）を使って、図面を最も早く正確に配布することができる。
ＷＨＩＰ！とＤＷＦを使用することで、図面をインターネットを使用して配布することができ、プロット印刷やコピー、郵送にかかる費用を削減することができる。端末装置７１０にＡｕｔｏＣＡＤがインストールされてなくても、ＷＨＩＰ！によりＡｕｔｏＣＡＤによる図面の閲覧、画面移動、ズーム、印刷を素早く、しかも簡単に行なうことができる。  ＷＨＩＰ！はウェブブラウザ上で動作し、端末装置７１０のユーザはウェブブラウザ上で図面を利用できる。もちろん印刷も可能である。
【００４５】
この配電系統地図データは、具体的には図６で示すように、地図と配電系統とが共に含まれるような図である。なお、図示しないが、配電系統にどのような回路が含まれているか等を詳細に説明するような文字情報等を含む。
このＷｈｉｐ！では、ＣＡＤ属性をもたせて配電系統地図の特定部位の拡大・スライド等を可能としながら鮮明に参照や印刷を行うことができるため、必要に応じた縮尺の配電系統地図とすることもできる。
【００４６】
以上説明したように、本発明によれば、Ｗｅｂ形式ファイルに変換することにより、データ参照用の端末装置７１０，８１０，９１０等から地図情報管理用コンピュータ５１０を呼び出し、地図情報管理用データベース５２０に保管されている配電系統地図データをブラウザでいつでも必要に応じて表示させ、さらに印刷させて配電系統地図を参照することができる。
【００４７】
続いて、本発明の他の実施形態について説明する。先に説明した実施形態では、配電系統地図データに含まれるのは配電系統および地図に関する図面情報・文字情報のみであったが、さらに、事故・作業手順に関する図面情報・文字情報を含めた配電系統地図データとしても良い。
【００４８】
続いて、このような作業用配電系統地図データ配信システムの稼働について説明する。稼働時は、（１）データの更新、および（２）データの配信が行われる。まず、（１）データの更新について説明する。
【００４９】
（１）データの更新
配電系統の増設工事や補修工事、事故復旧工事、或いは地勢上の目的物、特に市街地における著名建物や幹線道路等の増改築が煩雑に行われるという事情から、配電自動化システムの配電系統データ、地図データ、事故データ、作業手順データが定期的かつ頻繁に更新される。
そこで、配電自動化システムのデータ更新の都度、配信システムでも地図情報管理用データベース５２０に登録されているデータの更新が行われる。このデータ更新の一連の手順について説明する。
【００５０】
まず、配電自動化システム側でデータ更新が行われるものとする。ここに配電自動化システム側の情報管理用コンピュータ４２０には、図面作成アプリケーションソフトウェア（Ａｕｔｏ  ＣＡＤ）がインストールされており、配電自動化システムの情報管理用データベース４３０にはこの図面作成アプリケーションソフトウェアにより作成された配電系統データおよび地図データが登録されている。これら配電系統データ及び地図データは、図面作成アプリケーションソフトウェア特有の形式のデータである。
【００５１】
さらにまた、情報管理用コンピュータ４２０には、表計算アプリケーションソフトウェア（具体的にはＥｘｃｅｌ）がインストールされており、配電自動化システムの情報管理用データベース４３０にはこの表計算アプリケーションソフトウェアにより作成された事故データおよび作業手順データが登録されている。これら事故データ及び作業手順データは、表計算アプリケーションソフトウェア特有の形式（Ｅｘｃｅｌ形式：拡張子ｘｌｓ）のデータである。
【００５２】
更新の必要が生じたとき、情報管理用コンピュータ４２０を操作して図面作成アプリケーションソフトウェア（ＡｕｔｏＣＡＤ）を起動させ、更新対象となる配電系統データ及び地図データを読み出し、データ内容を更新する。そして、情報管理用データベース４３０にこれら配電系統データ及び地図データを登録する。これら配電系統データ及び地図データも、図面作成アプリケーションソフトウェア特有のデータ形式（ＡｕｔｏＣＡＤ形式：拡張子ｄｗｇ）である。
【００５３】
さらに、情報管理用コンピュータ４２０を操作して表計算アプリケーションソフトウェア（Ｅｘｃｅｌ）を起動させ、更新対象となる事故データ及び作業手順データを読み出し、データ内容を更新する。そして、情報管理用データベース４３０にこれら事故データ及び作業手順データを登録する。これら事故データ及び作業手順データは、表計算アプリケーションソフトウェア（Ｅｘｃｅｌ）の作業手順情報ワークシートに入力された帳票形式のデータ（Ｅｘｃｅｌ形式：拡張子ｘｌｓ）である。
【００５４】
その後、地図情報管理用コンピュータ５１０にインストールされている図面作成アプリケーションソフトウェア（例えば、ＡｕｔｏＣＡＤ）を起動させる。起動した図面作成アプリケーションソフトウェアを操作して、配電自動化システムの情報管理用データベース４３０から、先に更新された配電系統データ及び地図データ（図面作成アプリケーションソフトウェアのデータ形式（ＡｕｔｏＣＡＤ形式：拡張子ｄｗｇ）のデータ）を読み出す。
そして、これら配電系統データ及び地図データに基づいて配電系統地図データを図面作成アプリケーションソフトウェアのデータ形式（ＡｕｔｏＣＡＤ形式：拡張子ｄｗｇ）で作成する。
【００５５】
同様に、図７のデータ変換の説明図で示すように、地図情報管理用コンピュータ５１０に起動されている図面作成アプリケーションソフトウェア（例えば、ＡｕｔｏＣＡＤ）を操作して、配電自動化システムの情報管理用データベース４３０から、先に更新された事故データ及び作業手順データ（表計算アプリケーションソフトウェアのデータ形式（Ｅｘｃｅｌ形式）のデータ）を、マクロ定義による変換プログラム等を用いて読み込む。
そして、これら事故データ及び作業手順データに基づいて、図面作成アプリケーションソフトウェアのデータ形式（ＡｕｔｏＣＡＤ形式：拡張子ｄｗｇ）で作業手順図面データを作成する。
【００５６】
そしてこれら、配電系統データ、地図データ、作業手順図面データを用いてＷｅｂ形式（拡張子ｄｗｆ）の配電系統地図データに変換し、Ｗｅｂ形式の配電系統地図データを生成する。そして、地図情報管理用データベース５２０に配電系統地図データを更新登録する。
このような更新登録は配電系統データ，地図データ，事故データ及び作業手順データに変更がある都度行われるため常に最新の配電系統地図データが登録されている。
なお、データの配信については、同様の操作を行うことで配電系統地図データを得ることができるものであり、重複する説明を省略する。
【００５７】
ここに、事故データ及び作業手順データは、表計算アプリケーションソフトウェア（Ｅｘｃｅｌ）の作業手順情報ワークシートに入力された帳票形式のデータであるものとして説明した。
しかしながら、事故データおよび作業手順データは、図８のデータ変換の説明図で示すように、配電自動化システムの情報管理用コンピュータ４２０とレーザビームプリンタ４５０との間に介在して接続される分岐装置４６０から抽出される印字データとしてもよい。この印字データを、地図情報管理用コンピュータ５１０がデータ変換して地図情報管理用データベース５２０に登録する。図８に示すように、地図情報管理用データベース５２０に件名毎にデータベース化している。
【００５８】
このような事故件名データベースの一例について説明する。図９は事故件名データベースの説明図である。図９で示すように、事故件名データベースでは、事故該当個所がポイント表示され、カーソル位置合わせで拡大表示出来るようにしている。さらに作業手順をオペレータ操作により作成して載せるようにしてもよい。
【００５９】
そして地図情報管理用コンピュータ５１０に起動されている図面作成アプリケーションソフトウェア（例えば、ＡｕｔｏＣＡＤ）に読み出し、これら事故データ及び作業手順データを用いて作業手順図面データを図面作成アプリケーションソフトウェアのデータ形式（ＡｕｔｏＣＡＤ形式：拡張子ｄｗｇ）で作成し、このような作業手順図面データを含めた配電系統地図データをＷｅｂ形式（拡張子ｄｗｆ）の配電系統地図データに変換し、Ｗｅｂ形式の配電系統地図データを地図情報管理用データベース５２０に登録する。このような構成とすることもできる。
【００６０】
以上説明したように、本発明によれば、配電系統運用を行ううえで、更新が行われるたびに管理統括部門と、現地作業員の双方で用いる重要な配電系統地図を正確で速やかに一元管理することが出来る。しかも、配電系統毎に作業手順図面を載せることにより、最短で事故発生地点に現地作業員を緊急派遣し復旧処置や効率的な保守点検を可能としている。
【００６１】
続いて他の実施形態について説明する。
本実施形態では、さらに事故点を特定する機能を追加した形態である。
例えば、図１１の配電系統の事故例の説明図で示すように、ある遠制開閉器ＳＳ０１〜ＳＳ０６，ＴＳ０１に設置された遠制開閉器子局区間で落雷事故が発生した場合について説明する。図１０の落雷事故の説明図に示すようにサージ電流が配電線を伝播する。配電自動化システム子局の一部である子局Ａ、子局Ｂ間については、配電線距離Ｌ、ケーブル等配電線種類によるサージ伝播速度ｖ、等条件が予め設定入力され、地図情報管理用コンピュータ５１０に登録されている。
【００６２】
なお、各子局は、図示していないが、事故発生に基づく物理量変化を検出するセンサ、事故発生を計測する時計装置と、センサが出力した信号を演算処理して事故種別を特定するとともに、事故発生時刻を取り込んで事故情報信号を生成する演算処理部と、を備えている。
【００６３】
センサは具体的には電流センサであるロゴスキーコイル、逆位相反転回路、整流回路等である。これら電流センサは何れの方向から伝播されるサージ電流も検知して、ＬＥＤ発光してトリガ信号を発信出来るようにしている。
そして、各子局から配電自動化システム親局への光ファイバケーブル等信号線１００を介した事故情報信号が地図情報管理用コンピュータ５１０に入力されて演算処理される。演算処理内容であるが、事故情報信号伝送時間差に基づき、事故発生時の基準子局を特定するようにして、親局に対する複数子局の相対位置関係を電力設備を含む配電系統と対応させながら、落雷点を特定する。
【００６４】
演算処理の具体例について図１０を参照しつつ説明する。
いま、子局Ａが時刻ｔ１、子局Ｂがｔ２でサージ電流を検知してた事故情報信号を出力したとすれば、子局Ａからの落雷点評定位置Ｘは、以下のようになる。
【００６５】
【数１】
Ｘ＝［Ｌ−ｖ（ｔ２−ｔ１）］／２
【００６６】
このようにして事故点を特定することができる。
なお、他の区間での事故発生においても、同様に親局側の子局を基準として、事故点を特定出来る。また、事故点発生の子局区間外から侵入するサージ電流に対し、減衰や隣接する子局との時間差、等に所定の閾値を設けるなどして、事故情報信号を親局に伝送する子局を制限してもよい。
【００６７】
さらに地図情報管理用コンピュータ５１０は事故点を配電系統地図上に事故点を表すデータを付加し、ネットワークされた地図情報取得用クライアントシステム７００，８００，９００へ送信する。こうして、現地作業員が駆けつけ停電復旧処置を迅速に行う。
【００６８】
例えば、図１１の配電系統の事故例の説明図で示すように、配電線は、遮断機Ｆ１，Ｆ２、遠制開閉器ＳＳ０１〜ＳＳ０６，ＴＳ０１によって遠制開閉器区間ＮＤ０１〜ＮＤ０８に区分される。仮に遠制開閉器区間ＮＤ０５〜ＮＤ０８において区間ＮＤ０６で事故が発生すると、事故が復旧するまで事故区間ＮＤ０６は停電となる。これに対し、事故区間の電源側遠制開閉器区間ＮＤ０５は変電所のシーケンスにより変電所所内の配電線遮断器Ｆ２を介して送電される。
また、事故区間ＮＤ０６の負荷側遠制開閉器区間ＮＤ０７，ＮＤ０８は連係開閉器ＴＳ０１を介して他配電線より電力を融通し、事故区間ＮＤ０６を除く全ての区間へは遠制により迅速に送電される。
【００６９】
事故区間ＮＤ０６は、さらに手動開閉器ＡＳ０１〜ＡＳ０４によって手動開閉器区間ｎｄ０１〜ｎｄ０５に区分される。
先に説明したように事故区間内の事故部位が判明しているため、適宜手動開閉器ＡＳ０１〜ＡＳ０４の開閉操作により事故部位区間を他の健全な区間より切離することができる。
従前ではいずれの手動開閉器区間に事故部位が存在するかは、現地作業員の判断による探査作業に頼っていたが、本発明により健全な区間に送電可能となり、更なる事故停電区間の極小化が計れる。
【００７０】
以上本発明の系統地図データ配信システムについて説明した。系統地図データ配信システムは、配電系統データ及び地図データに基づく配電系統図が煩雑に更新されても、配電系統管理統括部門と現地作業員との双方で共通の配電系統地図を利用できるように一元管理している。
【００７１】
現地作業員が、事故種別・巡視点検目的に応じて作業手順図面も掲載した正確な配電系統地図を利用することにより、事故点・巡視点検個所を捜査し易くし、現地にいち早く駆けつけ、速やかに停電復旧処置や効率的に保守点検を行える。
【００７２】
【発明の効果】
本発明によれば、配電系統管理統括部門と作業員との双方で共通する配電系統地図を使用するように配電系統地図を一元管理し、作業員が最新の配電系統地図を使用して、速やかかつ効率的に停電復旧処置・巡視点検という作業を行え、かつ低コストとした配電系統地図データ配信システムを提供することができる。
【図面の簡単な説明】
【図１】配電系統および配電自動化システムを含む全体システム図である。
【図２】本発明の配電系統地図データ配信システムの実施形態を説明するシステム図である。
【図３】データ更新手順を説明するフローチャートである。
【図４】データ配信手順を説明するフローチャートである。
【図５】選択画面ページの説明図である。
【図６】配電系統地図の一例の説明図である。
【図７】データ変換の説明図である。
【図８】データ変換の説明図である。
【図９】事故件名データベースの説明図である。
【図１０】落雷事故の説明図である。
【図１１】配電系統の事故例の説明図である。
【符号の説明】
１０００    配電用変電所
ＳＳ０１    遠制開閉器
ＳＳ０２    遠制開閉器
ＳＳ０３    遠制開閉器
ＳＳ０４    遠制開閉器
ＳＳ０５    遠制開閉器
ＳＳ０６    遠制開閉器
ＴＳ０１    遠制開閉器
Ｆ１，Ｆ２  遮断器
Ｂ１        変圧器
ＲＴＵ０１  遠制開閉器
ＲＴＵ０２  遠制開閉器
ＲＴＵ０３  遠制開閉器
ＲＴＵ０４  遠制開閉器
ＲＴＵ０５  遠制開閉器
ＲＴＵ０６  遠制開閉器
ＲＴＵ０７  遠制開閉器
１００      信号線
２００      変電所中継局
３００      ネットワーク
４００      制御所親局
４１０      配電自動化コンピュータ
４２０      情報管理用コンピュータ
４３０      情報管理用データベース
４４０      ネットワーク
４５０      レーザビームプリンタ
４６０      分岐装置
５００      地図情報管理用サーバシステム
５１０      地図情報管理用コンピュータ
５２０      地図情報管理用データベース
６００      ネットワーク
７００      地図情報取得用クライアントシステム
７１０      端末装置
８００      地図情報取得用クライアントシステム
８１０      端末装置
８２０      プリンタ
９００      地図情報取得用クライアントシステム
９１０      端末装置
【図１】
2004229456.tif 000003
【図２】
2004229456.tif 000004
【図３】
2004229456.tif 000005
【図４】
2004229456.tif 000006
【図５】
2004229456.tif 000007
【図６】
2004229456.tif 000008
【図７】
2004229456.tif 000009
【図８】
2004229456.tif 000010
【図９】
2004229456.tif 000011
【図１０】
2004229456.tif 000012
【図１１】
2004229456.tif 000013